【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
遊技の態様が互いに異なる複数種類の遊技モードの下で遊技が行われ、操作部の操作に応答して遊技上の処理を実行するスロットマシンにおいて、
前記操作部として、クレジットされた遊技媒体を投入する際に操作されるベットスイッチ、遊技を開始する際に操作されるスタートスイッチ、遊技の開始に伴って開始される図柄の変動表示を停止する際に操作されるストップスイッチが設けられ、
前記複数種類のスイッチうち少なくとも１つのスイッチの操作回数をカウントする操作回数カウント手段と、
複数種類のうちいずれかの前記遊技モードに移行してから前記操作回数カウント手段によってカウントされた前記操作回数が所定回数に達した場合は、前記操作回数をカウントしていた遊技モードと異なる遊技モードに移行させる遊技制御手段とを備えたことを特徴とするスロットマシン。
【請求項２】
前記操作回数カウント手段は、前記複数種類のスイッチのうち少なくとも２つのスイッチの操作回数の累計をカウントすることを特徴とする請求項１記載のスロットマシン。
【請求項３】
前記遊技モードを、通常モードと、前記通常モードとは異なる特別モードとから構成し、前記操作回数カウント手段は、前記特別モードで前記カウントを行うことを特徴とする請求項１または２記載のスロットマシン。
【請求項４】
前記ストップスイッチは、複数列で前記変動表示される各列の図柄を個別に停止させるために複数設けられるとともに、
複数種類の当選役のいずれか又はハズレを当選役抽選により決定する当選役決定手段と、
複数列の図柄の変動表示を行った後に停止した図柄の組み合わせによって前記当選役が入賞したか否かを表示する図柄変動表示手段と、
図柄の変動表示が開始されてから一定時間が経過するまでに前記ストップスイッチが操作されなかった場合は当選役が入賞しないように自動的に図柄を停止させる図柄自動停止手段と、
前記特別モードの遊技での前記当選役抽選でハズレになった場合にその旨を報知するハズレ報知手段とを備え、
前記操作回数カウント手段は、前記ストップスイッチの操作回数の累計をカウントすることを特徴とする請求項３記載のスロットマシン。
【請求項５】
遊技の態様が互いに異なる複数種類の遊技モードの下で遊技が行われ、操作部の操作に応答して遊技上の処理を実行するスロットマシンにおいて、
前記操作部の操作回数をカウントする操作回数カウント手段と、
複数種類のうちいずれかの前記遊技モードに移行してから前記操作回数カウント手段によってカウントされた前記操作回数が所定回数に達した場合は、前記操作回数をカウントしていた遊技モードと異なる遊技モードに移行させる遊技制御手段とを備えたことを特徴とするスロットマシン。
【手続補正２】
【補正対象書類名】明細書
【補正対象項目名】０００７
【補正方法】変更
【補正の内容】
【０００７】
上記目的を達成するために、本発明のスロットマシンは、遊技の態様が互いに異なる複数種類の遊技モードの下で遊技が行われ、操作部の操作に応答して遊技上の処理を実行するスロットマシンにおいて、前記操作部として、クレジットされた遊技媒体を投入する際に操作されるベットスイッチ、遊技を開始する際に操作されるスタートスイッチ、遊技の開始に伴って開始される図柄の変動表示を停止する際に操作されるストップスイッチが設けられ、前記複数種類のスイッチうち少なくとも１つのスイッチの操作回数をカウントする操作回数カウント手段と、複数種類のうちいずれかの前記遊技モードに移行してから前記操作回数カウント手段によってカウントされた前記操作回数が所定回数に達した場合は、前記操作回数をカウントしていた遊技モードと異なる遊技モードに移行させる遊技制御手段とを備えたことを特徴としている。
【手続補正３】
【補正対象書類名】明細書
【補正対象項目名】０００８
【補正方法】変更
【補正の内容】
【０００８】
前記操作回数カウント手段は、前記複数種類のスイッチのうち少なくとも２つのスイッチの操作回数の累計をカウントするものでもよい。
【手続補正４】
【補正対象書類名】明細書
【補正対象項目名】０００９
【補正方法】変更
【補正の内容】
【０００９】
前記遊技モードを、通常モードと、前記通常モードとは異なる特別モードとから構成し、前記操作回数カウント手段は、前記特別モードで前記カウントを行うものでもよい。
【手続補正５】
【補正対象書類名】明細書
【補正対象項目名】００１０
【補正方法】変更
【補正の内容】
【００１０】
前記ストップスイッチは、複数列で前記変動表示される各列の図柄を個別に停止させるために複数設けられるとともに、複数種類の当選役のいずれか又はハズレを当選役抽選により決定する当選役決定手段と、複数列の図柄の変動表示を行った後に停止した図柄の組み合わせによって前記当選役が入賞したか否かを表示する図柄変動表示手段と、図柄の変動表示が開始されてから一定時間が経過するまでに前記ストップスイッチが操作されなかった場合は当選役が入賞しないように自動的に図柄を停止させる図柄自動停止手段と、前記特別モードの遊技での前記当選役抽選でハズレになった場合にその旨を報知するハズレ報知手段とを備え、前記操作回数カウント手段は、前記ストップスイッチの操作回数の累計をカウントするものでもよい。
【手続補正６】
【補正対象書類名】明細書
【補正対象項目名】００１１
【補正方法】変更
【補正の内容】
【００１１】
また、本願発明のスロットマシンは、遊技の態様が互いに異なる複数種類の遊技モードの下で遊技が行われ、操作部の操作に応答して遊技上の処理を実行するスロットマシンにおいて、前記操作部の操作回数をカウントする操作回数カウント手段と、複数種類のうちいずれかの前記遊技モードに移行してから前記操作回数カウント手段によってカウントされた前記操作回数が所定回数に達した場合は、前記操作回数をカウントしていた遊技モードと異なる遊技モードに移行させる遊技制御手段とを備えたことを特徴としている。
【手続補正７】
【補正対象書類名】明細書
【補正対象項目名】００１２
【補正方法】変更
【補正の内容】
【００１２】
本発明によれば、遊技者によるスイッチの操作回数を遊技モードの移行条件とすることが可能になり、遊技者が遊技に介入する要素を増加させて遊技の興趣を高めることができる。
【手続補正８】
【補正対象書類名】明細書
【補正対象項目名】００１３
【補正方法】変更
【補正の内容】
【００１３】
また、本発明によれば、特定のスイッチを操作することへの意欲を高めることが可能になり、遊技の興趣を高めることができる。
【手続補正９】
【補正対象書類名】明細書
【補正対象項目名】００１４
【補正方法】変更
【補正の内容】
【００１４】
さらに、本発明によれば、各スイッチを操作することへの意欲を高めることが可能になり、遊技の興趣を高めることができる。
【手続補正１０】
【補正対象書類名】明細書
【補正対象項目名】００１５
【補正方法】変更
【補正の内容】
【００１５】
また、本発明によれば、特別モードの遊技数を増加させることへの意欲を高めることが可能になり、特別モードの遊技への興趣を高めることができる。
【手続補正１１】
【補正対象書類名】明細書
【補正対象項目名】００１６
【補正方法】変更
【補正の内容】
【００１６】
さらに、本発明によれば、図柄を自動的に停止させて特別モードの遊技数を増加させることが可能になり、特別モードでの遊技数を調節する楽しみを遊技に付与できる。